(57)【特許請求の範囲】
【請求項１】
建物の外壁に設けた開口部内の室内寄りに配設された窓枠体と、この窓枠体の内側に支持されたパネル体とを備えたサッシ窓であって、
前記外壁は、外壁躯体と、この外壁躯体の室外面を覆う外壁仕上げ材とを備えて構成され、
前記窓枠体は、上枠体、下枠体、および左右の縦枠体から構成され、これらの上枠体、下枠体、および縦枠体には、前記外壁の開口部に沿って見込み方向室外側に延びる見込み片部と、この見込み片部に連続して折れ曲がり前記外壁躯体の室外面に沿って延び、かつ当該外壁躯体に固定される固定片部とが設けられ、
前記上枠体および縦枠体の少なくとも１つは、前記固定片部よりも室内側にて前記見込み片部に連続して見付け方向内側に延びる見付け片部と、前記固定片部よりも室外側に突出する突出片部とを有して形成され、
前記上枠体および縦枠体の少なくとも１つに対応した位置の前記外壁仕上げ材は、前記窓枠体の突出片部の突出寸法分の隙間を介して前記外壁躯体の室外面に対向する外面部と、この外面部に連続して見込み方向室内側に折れ曲がり前記見込み片部に沿って延びる折曲部とを有し、この折曲部が前記突出片部に固定されるとともに当該折曲部の室内側端縁が前記見付け片部に接続されているサッシ窓。
【請求項２】
前記外壁仕上げ材は、前記外面部と前記折曲部とで互いに別体に形成された断面矩形状のセメントボードから構成され、
前記折曲部を構成する前記セメントボードが前記窓枠体の突出片部にビス止め固定されている請求項１に記載のサッシ窓。
【請求項３】
前記外壁仕上げ材は、前記外面部から前記折曲部まで一体成形されたサイディング材から構成され、
前記折曲部を構成する前記サイディング材または当該サイディング材の下地材が前記窓枠体の突出片部にビス止め固定されている請求項１に記載のサッシ窓。
【請求項４】
前記外壁仕上げ材は、板状の下地材と、この下地材の表面に設けられたモルタル層とを有して構成され、
前記折曲部を構成する前記外壁仕上げ材の下地材が前記窓枠体の突出片部にビス止め固定されている請求項１に記載のサッシ窓。
【請求項５】
前記外壁仕上げ材のうち、前記外面部は、下地材およびモルタル層と、セメントボードと、サイディング材とのいずれかから構成され、
前記折曲部は、アルミ製、樹脂製、または木製の見切り部材から構成されて前記窓枠体の突出片部にビス止め固定されている請求項１に記載のサッシ窓。
【請求項６】
前記窓枠体は、前記外壁躯体に固定される支持枠と、この支持枠に着脱自在に取り付けられるとともに前記パネル体を支持する本窓枠とを備え、これらの支持枠と本窓枠とがシール材を介して連結されて構成されており、
前記支持枠は、上支持枠、下支持枠、および左右の縦支持枠を四周枠組みして構成され、これらの上支持枠、下支持枠、および縦支持枠に前記見込み片部および固定片部が設けられ、当該上支持枠および縦支持枠に前記見付け片部および突出片部が設けられている請求項１から請求項５のいずれかに記載のサッシ窓。
【発明の詳細な説明】
【技術分野】
【０００１】
本発明は、サッシ窓に関し、詳しくは、建物の外壁開口部内の室内寄りに配設された窓枠を備えたサッシ窓に関する。
【背景技術】
【０００２】
従来、外壁の室外面よりも見込み方向室内寄りに配設された、いわゆる内付けサッシ、およびこの内付けサッシを有して構成された外壁の構造が知られている（例えば、特許文献１、２参照）。
従来の外壁においては、外壁開口部に設けられた木製の開口枠（特許文献１）や金属製の開口フレーム（特許文献２）と、開口枠や開口フレームに固定されたアルミ形材製のサッシ窓枠と、このサッシ窓枠に支持されたガラスパネルや障子等のパネル体とで内付けのサッシ窓が構成されている。そして、外壁の躯体である金属製のフレームに下地材を介して外装材（サイディングやタイル）が固定されており、開口部の上および左右の三方において外装材が室内側に折れ曲がる形で回り込んで設けられるとともに、この外装材の折曲部室内側端部が水密材（シール材）を介して開口枠（開口フレーム）やサッシ窓枠に接続されている。
【０００３】
【特許文献１】特許第３４７７４２１号公報
【特許文献２】特開２００１−３４２７７５号公報
【発明の開示】
【発明が解決しようとする課題】
【０００４】
しかしながら、従来の外壁では、開口枠や開口フレームを介して躯体に固定されたサッシ窓枠と、下地材等を介して躯体に固定された外装材の折曲部とが、水密材（シール材）を介して接続されるのみで互いに固定されていないため、サッシ窓枠と外装材の折曲部との位置決め精度が劣り、施工性の低下や位置ずれによる意匠性の悪化を招いてしまうという問題がある。
また、サッシ窓枠と外装材の折曲部とが互いに固定されていないことから、地震時や暴風時等に相対変位が大きくなってシール材が切れてしまう可能性があり、シール材が切れたり劣化したりした場合には、このシール材位置から浸入した雨水等が即座に躯体や内装材の位置まで到達してしまうため、止水性能上も問題がある。
【０００５】
本発明の目的は、施工性や外観意匠性に優れ、かつ十分な止水性能を確保することができるサッシ窓を提供することにある。
【課題を解決するための手段】
【０００６】
本発明のサッシ窓は、建物の外壁に設けた開口部内の室内寄りに配設された窓枠体と、この窓枠体の内側に支持されたパネル体とを備えたサッシ窓であって、前記外壁は、外壁躯体と、この外壁躯体の室外面を覆う外壁仕上げ材とを備えて構成され、前記窓枠体は、上枠体、下枠体、および左右の縦枠体から構成され、これらの上枠体、下枠体、および縦枠体には、前記外壁の開口部に沿って見込み方向室外側に延びる見込み片部と、この見込み片部に連続して折れ曲がり前記外壁躯体の室外面に沿って延び、かつ当該外壁躯体に固定される固定片部とが設けられ、前記上枠体および縦枠体の少なくとも１つは、前記固定片部よりも室内側にて前記見込み片部に連続して見付け方向内側に延びる見付け片部と、前記固定片部よりも室外側に突出する突出片部とを有して形成され、前記上枠体および縦枠体の少なくとも１つに対応した位置の前記外壁仕上げ材は、前記窓枠体の突出片部の突出寸法分の隙間を介して前記外壁躯体の室外面に対向する外面部と、この外面部に連続して見込み方向室内側に折れ曲がり前記見込み片部に沿って延びる折曲部とを有し、この折曲部が前記突出片部に固定されるとともに当該折曲部の室内側端縁が前記見付け片部に接続されていることを特徴とする。
【０００７】
ここで、窓枠体の内側に支持されたパネル体としては、窓枠体に移動不能に支持されて嵌め殺し（Ｆｉｘ）窓を構成するガラスパネル等の面材であってもよく、また窓枠体に開閉可能に支持された１枚または複数枚の障子であってもよい。パネル体が障子である場合には、例えば、引き違い窓や片引き窓、上げ下げ窓、開き窓、辷り出し窓等、任意の開閉形式のサッシ窓が構成可能である。
【０００８】
このような本発明によれば、外壁仕上げ材の外面部を窓枠体の突出片部の突出寸法分の隙間を介して外壁躯体に対向して配置する（例えば、突出片部の先端に当接させて配置する）とともに、折曲部を突出片部に固定することで、外面部および折曲部がそれぞれ突出片部によって位置決めされるので、外壁仕上げ材の位置決め精度が高められ、施工時の取り付けが容易になって施工性を向上させることができる。さらに、折曲部と窓枠体との位置ずれを防止することができ、外壁およびサッシ窓の外観意匠性の向上を図ることができる。
また、外壁躯体と外壁仕上げ材との間に、窓枠体の突出片部の突出寸法分の隙間による通気層を形成することができ、外壁躯体や仕上げ材の湿気を防止することができるとともに、外壁の断熱性能も高めることができる。さらに、通気層によって室外空間との等圧空間を構成することもできるので、この通気層を介して外壁躯体や窓枠体の内側へ雨水が浸入することが阻止できる。
【０００９】
また、窓枠体の固定片部を外壁躯体の室外面に固定することで、この固定片部と外壁躯体との間に止水材を設けることができるとともに、上枠体や縦枠体において、見込み片部に沿って室内側に延びた外壁仕上げ材の折曲部の室内側端縁を窓枠体の見付け片部に接続することで、折曲部の外側である室外空間から固定片部における止水位置までの距離、および止水位置から室内空間までの距離を、それぞれ長距離化することができ、従来のサッシ窓と比較して止水性能を向上させることができる。
すなわち、外壁仕上げ材の折曲部先端と窓枠体の見付け片部との間から雨水が浸入したとしても、この雨水は窓枠体の見込み片部と外壁仕上げ材の折曲部との間を通って室外側に移動し、さらに突出片部を越えて固定片部と外壁仕上げ材との間を通って止水位置に達するまでの長い距離を移動する必要があるため、止水位置まで雨水が浸入しにくくなっている。さらに、止水位置に雨水が達したとしても、この雨水は、まず止水構造により阻止されて窓枠体と外壁躯体との間に浸入できないようになっている。さらに万一、窓枠体と外壁躯体との間に雨水が浸入したとしても、この浸入位置から室内空間までは、少なくとも外壁躯体の厚さ寸法以上の距離が隔てられているため、室内空間まで雨水が浸入する可能性をほぼ皆無にすることができる。また、止水位置が隙間を介して外壁仕上げ材に覆われているので、室外空間の風圧や気圧差の影響を低減することができ、この点からも室内空間への雨水の浸入を防止することができる。
【００１０】
この際、本発明のサッシ窓では、前記外壁仕上げ材は、前記外面部と前記折曲部とで互いに別体に形成された断面矩形状のセメントボードから構成され、前記折曲部を構成する前記セメントボードが前記窓枠体の突出片部にビス止め固定されていことが好ましい。
また、本発明のサッシ窓では、前記外壁仕上げ材は、前記外面部から前記折曲部まで一体成形されたサイディング材から構成され、前記折曲部を構成する前記サイディング材または当該サイディング材の下地材が前記窓枠体の突出片部にビス止め固定されていてもよい。
さらに、本発明のサッシ窓では、前記外壁仕上げ材は、板状の下地材と、この下地材の表面に設けられたモルタル層とを有して構成され、前記折曲部を構成する前記外壁仕上げ材の下地材が前記窓枠体の突出片部にビス止め固定されていてもよい。
【００１１】
このような構成によれば、外壁仕上げ材として、セメントボード、サイディング材、下地材上にモルタル層を形成したものの中から任意に選択することができ、いずれの仕上げ材を選択した場合でも、窓枠体の突出片部に折曲部を構成する部位をビス止め固定することで、容易に取り付け作業ができ、施工性をさらに向上させることができる。そして、突出片部にビス止め固定することで、このビスが窓枠体を室内外に貫通することがなく、ビスの貫通部を介して雨水等の浸入が防止でき、止水性能を確保することができる。
【００１２】
さらに、本発明のサッシ窓では、前記外壁仕上げ材のうち、前記外面部は、下地材およびモルタル層と、セメントボードと、サイディング材とのいずれかから構成され、前記折曲部は、アルミ製、樹脂製、または木製の見切り部材から構成されて前記窓枠体の突出片部にビス止め固定されていてもよい。
このような構成によれば、外壁仕上げ材における外面部と折曲部とで構成材料の組み合わせを任意に選択することができ、外観意匠デザインの多様化を図ることができる。
【００１３】
以上のサッシ窓において、前記窓枠体は、前記外壁躯体に固定される支持枠と、この支持枠に着脱自在に取り付けられるとともに前記パネル体を支持する本窓枠とを備え、これらの支持枠と本窓枠とがシール材を介して連結されて構成されており、前記支持枠は、上支持枠、下支持枠、および左右の縦支持枠を四周枠組みして構成され、これらの上支持枠、下支持枠、および縦支持枠に前記見込み片部および固定片部が設けられ、当該上支持枠および縦支持枠に前記見付け片部および突出片部が設けられていることが好ましい。
このような構成によれば、窓枠体を支持枠（捨て枠）および本窓枠から構成し、支持枠に対して着脱自在に本窓枠を取り付けるようにするとともに、支持枠の上支持枠や縦支持枠に見込み片部、見付け片部、および突出片部を設けたので、支持枠を外壁に固定したままで外壁仕上げ材を壊すことなく本窓枠を交換することができ、改装サッシとして本発明のサッシ窓を構成することができる。また、支持枠と本窓枠とがシール材を介して連結されるので、これらの間からの雨水の浸入を防止することができ、前述した外壁躯体および外壁仕上げ材と支持枠との間の止水構造と併せて、サッシ窓全体としての止水性能を確保することができる。
【発明を実施するための最良の形態】
【００１４】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。また、各図においては、主要構成部品の断面を示すハッチングが省略されている。
〔第１実施形態〕
図１は、本発明の第１実施形態に係るサッシ窓である引違い窓１０が設けられた建物の外壁１部分を示す縦断面図である。図２は、外壁１部分を示す横断面図である。図３、４は、それぞれ引違い窓１０の上枠部分、および下枠部分を拡大して示す縦断面図である。図５は、引違い窓１０の縦枠部分を拡大して示す横断面図である。
【００１５】
図１、２において、建物の外壁１は、外壁躯体としての壁パネル２と、この壁パネル２の室外面に設けられた外壁仕上げ材としてのセメントボード（セメント成形板）３と、壁パネル２の室内面に設けられた内部仕上げ材としての石膏ボード等の内装材４とを有して構成されている。壁パネル２は、格子状等に組んだパネル芯材と２Ａと、このパネル芯材２Ａの室外側に固定されたパネル面材２Ｂとで形成されている。また、セメントボード３の室外側表面には、モルタルが吹き付けられている。この外壁１には、矩形状の開口部５が設けられており、引違い窓１０は、開口部５内における外壁１の室外面１Ａよりも見込み方向室内寄りに設けられた、いわゆる内付けサッシ窓である。この引違い窓１０の室内側には、内装材４の開口端縁に沿った木製の額縁材（ケーシング）６が四周連続して取り付けられている。
【００１６】
引違い窓１０は、上枠体１１、下枠体１２、および左右の縦枠体１３からなる窓枠体１４と、この窓枠体１４の内側に開閉自在に支持されたパネル体としての室内外一組の障子１５と、これらの障子１５の室外側に設けられた網戸１６とを有して構成されている。窓枠体１４は、壁パネル２に固定される支持枠（捨て枠）２０と、この支持枠２０に着脱自在に取り付けられた本窓枠３０とを有している。支持枠２０は、上支持枠２１、下支持枠２２、および左右の縦支持枠２３を四周枠組みして形成され、本窓枠３０は、上本窓枠３１、下本窓枠３２、および左右の縦本窓枠３３を四周枠組みして形成されている。そして、障子１５および網戸１６は、本窓枠３０の上本窓枠３１および下本窓枠３２に設けられた後述するレール部に戸車が案内され、図２の左右方向に移動可能になっている。障子１５は、四周框組した上下左右の框材１７と、これらの框材１７の内部に嵌め込んだガラスパネル１８とを有して形成されている。
【００１７】
図３に示すように、上枠体１１は、支持枠２０の上支持枠２１と、本窓枠３０の上本窓枠３１と、これらの上支持枠２１および上本窓枠３１を連結する連結部材４１と、この連結部材４１に取り付けられて内装材４を釘打ち等で固定するための下地材４２とを有して構成されている。
上支持枠２１は、アルミ押出形材製であって、外壁１の開口部５の上縁に沿って見込み方向室外側に延びる見込み片部２１１と、この見込み片部２１１の室外側端縁に連続して上方に折れ曲がり、壁パネル２の室外面に沿って延びる固定片部２１２とを有している。この固定片部２１２は、室外側からのビスにより壁パネル２に固定されるとともに、固定片部２１２と壁パネル２との間には、図示しないシール材や防水シート等を用いた止水構造が設けられている。そして、上支持枠２１は、固定片部２１２よりも室外側に突出する突出片部２１３と、固定片部２１２よりも室内側において見込み片部２１１から下方（見付け方向内側）に延びる見付け片部２１４と、見付け片部２１４よりも室内側において見込み片部２１１から下方に延びる支持片部２１５とを有している。この支持片部２１５の下端部室内側には、シール材２１５Ａが取り付けられている。
【００１８】
本窓枠３０の上本窓枠３１は、室外側に配置されるアルミ押出形材製の室外部材３１Ａと、室内側に配置される樹脂製の室内部材３１Ｂと、室内部材３１Ｂを室外部材３１Ａおよび連結部材４１に固定する固定部材３１Ｃとを備えて構成されている。上本窓枠３１の室外部材３１Ａは、上支持枠２１の見込み片部２１１に対向して室内外に延びる上面部３１１と、この上面部３１１の室内側端部から上方（見付け方向外側）に突出し、上支持枠２１の支持片部２１５の室内側に沿って延びる取付片部３１２とを有している。また、上本窓枠３１の室内部材３１Ｂは、連結部材４１および下地材４２にビス止め固定されるとともに、室内側に延びて額縁材６にビス止め固定されている。
【００１９】
上支持枠２１と上本窓枠３１とを連結する連結部材４１は、室内側に向かって開口した断面略コ字形の金属製ピース材であって、壁パネル２の芯材２Ａにビス止め固定されている。さらに、連結部材４１の室外側の一辺を貫通するビス４３によって、上本窓枠３１の取付片部３１２と上支持枠２１の支持片部２１５とが係合され、これにより上本窓枠３１が上支持枠２１に取り付けられ、このビス４３を締め付けることで、取付片部３１４が支持片部２１５に圧接され、支持片部２１５のシール材２１５Ａが取付片部３１２に密接するようになっている。
【００２０】
以上のような上枠体１１部分における外壁仕上げ材のセメントボード３は、壁パネル２の室外側側面に所定間隔を介して対向する外面部３Ａと、この外面部３Ａに連続して室内側に折れ曲がり、上支持枠２１の突出片部２１３および見込み片部２１１に沿って見込み方向室内側に延びる折曲部３Ｂとを有して構成されている。これらの外面部３Ａおよび折曲部３Ｂは、互いに別体とされて各々断面矩形状に成形されたセメントボード３から構成されている。外面部３Ａは、突出片部２１３の先端に当接して位置決めされ、つまり外面部３Ａと壁パネル２との隙間寸法は、突出片部２１３の突出寸法と略等しくなっており、この隙間によって通気層３Ｃが形成されている。また、折曲部３Ｂは、室外から螺合されるビス３Ｄによって突出片部２１３に固定され、折曲部３Ｂの室内側端縁が上支持枠２１の見付け片部２１４に当接して位置決めされるとともに見付け片部２１４に接続されている。
【００２１】
次に、図４に示すように、下枠体１２は、支持枠２０の下支持枠２２と、本窓枠３０の下本窓枠３２と、これらの下支持枠２２および下本窓枠３２を連結する連結部材４１と、下地材４２とを有して構成されている。
下支持枠２２は、アルミ押出形材製であって、外壁１の開口部５の下縁に沿って見込み方向室外側に延びる見込み片部２２１と、この見込み片部２１１に連続して下方に延び、壁パネル２の室外面に沿って延びる固定片部２２２と、見込み片部２２１に連続して固定片部２２２よりも室外側に延びる水切り片部２２３とを有している。固定片部２２２は、前述の上支持枠２１の固定片部２１２と同様に、室外側からのビスにより壁パネル２に固定されるとともに、固定片部２２２と壁パネル２との間に止水構造が設けられている。そして、下支持枠２２は、見込み片部２２１から下方に延びた載置片部によって壁パネル２に載置されるとともに、見込み片部２２１から上方に延びる支持片部２２４を有している。この支持片部２２４の上端部室内側には、シール材２２４Ａが取り付けられている。
【００２２】
本窓枠３０の下本窓枠３２は、それぞれアルミ押出形材製の室外部材３２Ａおよび室内部材３２Ｂと、これらを連結する樹脂製の断熱部材３２Ｃとを備えて構成されている。下本窓枠３２の室外部材３２Ａは、室内外に延びる上面部３２１と、下方（見付け方向外側）に突出して下支持枠２２の支持片部２２４の室内側に沿って延びる取付片部３２２とを有している。また、下本窓枠３２の室内部材３２Ｂは、連結部材４１上に載置されるとともに、室内側に延びて額縁材６にビス止め固定されている。
【００２３】
次に、図５に示すように、縦枠体１３は、支持枠２０の縦支持枠２３と、本窓枠３０の縦本窓枠３３と、これらの縦支持枠２３および縦本窓枠３３の室内側に設けられた下地材４２とを有して構成されている。
縦支持枠２３は、アルミ押出形材製であって、外壁１の開口部５に沿って見込み方向室外側に延びる見込み片部２３１と、この見込み片部２３１の室外側端縁に連続して側方（見付け方向外側）に折れ曲がり、壁パネル２の室外面に沿って延びる固定片部２３２とを有している。この固定片部２３２は、室外側からのビスにより壁パネル２に固定されるとともに、固定片部２３２と壁パネル２との間には、図示しないシール材や防水シート等を用いた止水構造が設けられている。そして、縦支持枠２３は、固定片部２３２よりも室外側に突出する突出片部２３３と、固定片部２３２よりも室内側において見込み片部２３１から見付け方向内側に延びる見付け片部２３４とを有している。さらに、縦支持枠２３は、見付け片部２３４よりも室内側において見込み片部２３１から見付け方向内側に延びる支持片部２３５を有しており、この支持片部２３５の先端部室内側には、シール材２３５Ａが取り付けられている。
【００２４】
本窓枠３０の縦本窓枠３３は、室外側に配置されるアルミ押出形材製の室外部材３３Ａと、室内側に配置される樹脂製の室内部材３３Ｂとを備えて構成されている。縦本窓枠３３の室外部材３３Ａは、縦支持枠２３の見込み片部２３１に対向して室内外に延びる側面部３３１と、この側面部３３１の室内側寄りの位置から見付け方向外側に突出し、縦支持枠２３の支持片部２３５の室内側に沿って延びる取付片部３３２とを有している。また、縦本窓枠３３の室内部材３３Ｂは、室外部材３３Ａおよび下地材４２にビス止めされるとともに、室内側に延びて額縁材６にビス止め固定されている。
【００２５】
縦支持枠２３および縦本窓枠３３において、縦本窓枠３３の取付片部３３２と縦支持枠２３の支持片部２３５とが、室内側から螺合されるビス４４によって係合されている。そして、このビス４４を締め付けることで、取付片部３３２と支持片部２３５とが圧接され、支持片部２３５のシール材２３５Ａが取付片部３３２に密接するようになっている。
以上のような縦枠体１３における外壁仕上げ材のセメントボード３は、壁パネル２の室外側側面に所定間隔を介して対向する外面部３Ａと、この外面部３Ａに連続して室内側に折れ曲がり、縦支持枠２３の突出片部２３３および見込み片部２３１に沿って見込み方向室内側に延びる折曲部３Ｂとを有して構成されている。これらの外面部３Ａおよび折曲部３Ｂは、互いに別体とされて各々断面矩形状に成形されたセメントボード３から構成されている。外面部３Ａは、突出片部２３３の先端に当接して位置決めされ、外面部３Ａは、突出片部２３３の突出寸法と略等しい寸法の隙間を介して壁パネル２と対向して設けられている。そして、外面部３Ａと壁パネル２との隙間によって通気層３Ｃが形成されている。また、折曲部３Ｂは、室外から螺合されるビス３Ｄによって突出片部２３３に固定され、折曲部３Ｂの室内側端縁が縦支持枠２３の見付け片部２３４に当接して位置決めされるとともに見付け片部２３４に接続されている。
【００２６】
次に、引違い窓１０における止水構造について説明する。
まず、上枠体１１および縦枠体１３において、上支持枠２１および縦支持枠２３の見込み片部２１１，２３１、および見付け片部２１４，２３４が連続しているため、この位置から室内側に雨水等が浸入することがない。また、セメントボード３の折曲部３Ｂ先端と見付け片部２１４，２３４とが当接されているため、これらの間に雨水等が浸入しにくくなっているが、雨水が浸入したとしても、この雨水は折曲部３Ｂと見込み片部２１１，２３１との間を通って室外側に移動し、さらに突出片部２１３，２３３を越え、かつ固定片部２１２，２３２に沿って回り込む長い距離を移動する必要がある。このため、固定片部２１２，２３２と壁パネル２との止水位置に達するまでの距離が十分に長いので、止水位置まで雨水が浸入する心配がほぼ皆無である。なお万一、固定片部２１２，２３２の止水位置から雨水が浸入したとしても、浸入位置から室内空間までは、少なくとも壁パネル２の厚さ寸法以上の距離が隔てられているため、室内空間まで雨水が浸入しないようになっている。
【００２７】
また、室外側における縦支持枠２３と縦本窓枠３３との間に雨水が浸入したとしても、この雨水は、縦支持枠２３の支持片部２３５と縦本窓枠３３の取付片部３３２との間のシール材２３５Ａに阻まれ、室内側に浸入しないようになっている。そして、縦支持枠２３と縦本窓枠３３との間に浸入した雨水は、下方に落下して下枠体１２における下支持枠２２の見込み片部２２１に達し、排水弁から室外空間に排水されるようになっている。これと同様に上枠体１１においても、上支持枠２１と上本窓枠１３との間に浸入した雨水は、上支持枠２１の支持片部２１５と上本窓枠３１の取付片部３１２との間のシール材２１５Ａに阻まれ、室内側に浸入しないようになっている。
【００２８】
一方、下枠体１２において、下支持枠２２の水切り片部２２３が外壁１の室外面１Ａよりも室外側に突出し、さらに水切り片部２２３の先端部がセメントボード３の上端よりも下方まで曲げ下げられているため、セメントボード３と下支持枠２２との間から室内側に雨水等が浸入することがない。また、セメントボード３と下支持枠２２との間から雨水が浸入したとしても、この雨水は、下支持枠２２の固定片部２２２と壁パネル２との止水位置で阻止され、室内空間まで雨水が浸入することがない。また、下支持枠２２と下本窓枠３２との間に雨水が浸入した場合には、この雨水は、下支持枠２２の支持片部２２４と下本窓枠３２の取付片部３２２との間のシール材２４５Ａに阻まれ、室内側に浸入せず排水弁から室外空間に排水されるようになっている。
【００２９】
以上のような引違い窓１０は、支持枠２０から本窓枠３０を取り外し、別の本窓枠３０を支持枠２０に取り付けることで、改装可能に構成されている。
すなわち、引違い窓１０における本窓枠３０は、見付け方向外側に突出した取付片部３１２，３２２，３３２を四周に有した半外付け用サッシ枠である。すなわち、本窓枠３０は、支持枠２０を介さずに取付片部３１２，３２２，３３２を壁パネル２の室外面に直接固定することで、外壁面から室外側に突出した半外付けのサッシ窓が構成できるようになっている。このような半外付け用サッシ枠は、一般的に用いられており、その製品バリエーションや製品点数が非常に多く、本実施形態の引違い窓形式の他に、嵌め殺し窓や片引き窓、開き窓、辷り出し窓等の多数の形式のものに利用可能である。つまり、本実施形態においては、本窓枠３０は、支持枠２０に対して着脱可能に取り付けられており、この本窓枠３０を交換することによって、各種形式の窓に改装する、あるいは新しい窓に交換することができるようになっている。
【００３０】
このような本実施形態によれば、以下のような効果がある。
（１）すなわち、外面部３Ａにおけるセメントボード３が上支持枠２１および縦支持枠２３の突出片部２１３，２３３の先端に当接されるとともに、折曲部３Ｂにおけるセメントボード３が突出片部２１３，２３３にビス止め固定されているので、外面部３Ａおよび折曲部３Ｂがそれぞれ突出片部２１３，２３３によって位置決めされ、セメントボード３の位置決め精度が高められ、施工時の取り付けが容易になって施工性を向上させることができる。さらに、折曲部３Ｂと支持枠２０との位置ずれを防止することができ、外壁１および引違い窓１０の外観意匠性の向上を図ることができる。
【００３１】
（２）さらに、セメントボード３と壁パネル２との間に、突出片部２１３，２３３の突出寸法に応じた通気層３Ｃが形成されているので、セメントボード３や壁パネル２の湿気を防止することができるとともに、外壁１の断熱性能も高めることができる。さらに、通気層３Ｃによって室外空間との等圧空間を構成することもできるので、この通気層３Ｃを介して壁パネル２と支持枠２０との間への雨水の浸入が阻止できる。
【００３２】
（３）また、上枠体１１および縦枠体１３において、見込み片部２１１，２３１に沿ってセメントボード３の折曲部３Ｂが設けられ、この折曲部３Ｂの室内側端縁が見付け片部２１４，２３４に接続されているので、室外空間から固定片部２１２，２３２の止水位置までの距離、および止水位置から室内空間までの距離を、それぞれ長距離化することができ、止水性能を向上させることができる。さらに、セメントボード３の折曲部３Ｂが突出片部２１３，２３３にビス止め固定されているので、このビス３Ｄが支持枠２０を室内外に貫通することがなく、ビスの貫通部を介して雨水等が浸入することを防止して、止水性能を確保することができる。
【００３３】
（４）さらに、支持枠２０の上支持枠２１、下支持枠２２、および縦支持枠２３に固定片部２１２，２２２，２３２を設けたことで、この固定片部２１２，２２２，２３２を壁パネル２の室外面に当接させるだけで窓枠体１４の位置決めができるとともに、固定片部２１２，２２２，２３２を壁パネル２の室外面に固定することで、支持枠２０を室外側から容易に取り付けることができ、サッシ窓の施工にかかる作業性を向上させることができる。
【００３４】
（５）また、窓枠体１４を支持枠２０および本窓枠３０から構成し、支持枠２０に対して着脱自在に本窓枠３０を取り付け可能にしたので、支持枠２０を外壁１に固定したままで本窓枠３０を交換することができ、サッシ窓を改装サッシとして構成することができる。さらに、上支持枠２１および縦支持枠２３に見込み片部２１１，２３１および見付け片部２１４，２３４を設けてセメントボード３の折曲部３Ｂを接続したので、外壁仕上げ材を壊すことなく本窓枠３０を交換することができる。
【００３５】
（６）また、上支持枠２１、下支持枠２２、および縦支持枠２３の支持片部２１５，２２４，２３５に設けられたシール材２１５Ａ，２２４Ａ，２３５Ａを介して、上本窓枠３１、下本窓枠３２、および縦本窓枠３３の取付片部３１２，３２２，３３２が固定されているので、止水性能をさらに向上させることができる。
【００３６】
（７）また、本窓枠３０を製品バリエーションや製品点数が豊富な半外付け用サッシ枠を用いて構成したことで、多種多様なサイズや形式の窓を安価に構成することができる。そして、半外付け用サッシ枠において通常外壁に固定するために設けられた取付片部３１２，３２２，３３２を、支持枠２０の支持片部２１５，２２４，２３５に係合させて支持枠２０に本窓枠３０を取り付けることで、半外付け用サッシ枠に対する加工の必要がなく、コスト増加を招かずに半外付け用サッシ枠を本窓枠３０として転用することができる。
【００３７】
〔第２実施形態〕
次に、本発明の第２実施形態に係るサッシ窓について、図６〜図９に基づいて説明する。
本実施形態のサッシ窓である引違い窓１０は、前述の第１実施形態と略同様の構成を備えている。そして、本実施形態において、外壁１の外壁仕上げ材の構成が前述の第１実施形態と相違する。相違点について以下に詳しく説明する。
【００３８】
図６に示す外壁１および引違い窓１０において、外壁仕上げ材である外装材７は、木製板材からなる下地材７１と、この下地材７１の表面に吹き付けて形成されたモルタル層７２とを有して構成されている。そして、外装材７は、壁パネル２の室外側側面に所定間隔を介して対向する外面部７Ａと、この外面部７Ａに連続して室内側に折れ曲がり、縦支持枠２３の突出片部２３３および見込み片部２３１に沿って見込み方向室内側に延びる折曲部７Ｂとを有している。外面部７Ａにおける下地材７１は、突出片部２３３の先端に当接して位置決めされ、外面部７Ａの下地材７１と壁パネル２との間には、突出片部２３３の突出寸法と略等しい隙間寸法を有した通気層７Ｃが形成されている。また、折曲部７Ｂにおける下地材７１は、室外から螺合されるビス７Ｄによって突出片部２３３に固定され、折曲部７Ｂの室内側端縁が縦支持枠２３の見付け片部２３４に当接して位置決めされている。
【００３９】
次に、図７に示す外壁１および引違い窓１０では、図６に示した外壁１と同様に、外装材７が下地材７１とモルタル層７２とを有し、外面部７Ａ、折曲部７Ｂおよび通気層７Ｃが形成されている。この引違い窓１０における縦支持枠２３の突出片部２３３先端には、見付け方向外側に折れ曲がった折曲片２３３Ａが形成されている。そして、折曲部７Ｂにおける下地材７１は、ビス７Ｄによって突出片部２３３に固定され、外面部７Ａにおける下地材７１は、折曲片２３３Ａに当接して位置決めされるとともに、ビス７Ｄによって折曲片２３３Ａに固定されている。
【００４０】
次に、図８に示す外壁１および引違い窓１０において、外壁仕上げ材は、サイディング８を有して構成され、このサイディング８は、壁パネル２の室外側側面に所定間隔を介して対向する外面部８Ａと、この外面部８Ａに連続して室内側に折れ曲がり、縦支持枠２３の突出片部２３３および見込み片部２３１に沿って見込み方向室内側に延びる折曲部８Ｂとを有して一体成形されている。外面部８Ａにおけるサイディング８と壁パネル２との間には、突出片部２３３の突出寸法と略等しい隙間寸法を有した通気層８Ｃが形成されている。また、折曲部８Ｂにおけるサイディング８の内側には、下地材８１が設けられており、この下地材８１は、室外から螺合されるビス８Ｄによって突出片部２３３に固定されている。そして、折曲部８Ｂにおけるサイディング８の室内側端縁は、縦支持枠２３の見付け片部２３４に当接して位置決めされている。
【００４１】
次に、図９に示す外壁１および引違い窓１０において、外壁仕上げ材は、サイディング８と、樹脂製やアルミ製の見切り部材９とを有して構成されている。そして、サイディング８によって、壁パネル２の室外側側面に所定間隔を介して対向する外面部８Ａが構成され、見切り部材９によって、縦支持枠２３の突出片部２３３および見込み片部２３１に沿って見込み方向室内側に延びる折曲部９Ａが構成されている。そして、見切り部材９は、室外から螺合されるビス９Ｂによって突出片部２３３に固定されるとともに、見切り部材９の室内側端縁が縦支持枠２３の見付け片部２３４に当接して位置決めされている。なお、図９に示す外壁１において、外面部８Ａを構成する外壁仕上げ材は、サイディング８に限らず、前記第１実施形態と同様のセメントボード３であってもよく、また図６、図７に示したような下地材７１およびモルタル層７２を有した外装材７であってもよい。
【００４２】
このような本実施形態によれば、前記（１）〜（７）の効果と略同様の効果に加え、以下の効果を奏することができる。
（８）すなわち、外壁仕上げ材として、前記第１実施形態のセメントボード３の他に、サイディング８や、下地材７１上にモルタル層７２を形成した外装材７や、折曲部９Ａを見切り部材９から構成したものが選択可能になるので、設計の自由度および外観意匠性を向上させることができる。
【００４３】
なお、本発明は、前記各実施形態に限定されるものではなく、本発明の目的を達成できる他の構成等を含み、以下に示すような変形等も本発明に含まれる。
例えば、前記実施形態の引違い窓１０では、窓枠体１４を支持枠２０および本窓枠３０で構成したが、これに限らず、一体の窓枠体で構成してもよい。
また、前記実施形態では、室内外一対の障子１５を備えた引違い窓１０について説明したが、これに限らず、嵌め殺し窓でもよく、また片引き窓や、上げ下げ窓、開き窓、辷り出し窓等、任意の開閉形式のサッシ窓が構成可能である。
また、外壁仕上げ材の折曲部３Ｂ，７Ｂ，８Ｂ，９Ａを窓枠体１４の突出片部２１３，２３３に固定する手段としては、ビス止めに限らず、外壁仕上げ材に設けた係合部と突出片部とを係合させて固定する構造であってもよい。
【００４４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４５】
【図１】本発明の第１実施形態に係るサッシ窓および外壁を示す縦断面図である。
【図２】前記サッシ窓および外壁を示す横断面図である。
【図３】前記サッシ窓の上枠部分を拡大して示す縦断面図である。
【図４】前記サッシ窓の下枠部分を拡大して示す縦断面図である。
【図５】前記サッシ窓の縦枠部分を拡大して示す横断面図である。
【図６】本発明の第２実施形態に係るサッシ窓の縦枠部分を拡大して示す横断面図である。
【図７】前記サッシ窓および外壁の構成が図６と相違する縦枠部分を拡大して示す横断面図である。
【図８】前記外壁の構成が図６、７と相違する縦枠部分を拡大して示す横断面図である。
【図９】前記外壁の構成が図６〜８と相違する縦枠部分を拡大して示す横断面図である。
【符号の説明】
【００４６】
１…外壁、２…外壁躯体である壁パネル、３…外壁仕上げ材であるセメントボード、３Ａ…外面部、３Ｂ…折曲部、７…外壁仕上げ材である外装材、７Ａ…外面部、７Ｂ…折曲部、８…外壁仕上げ材であるサイディング、８Ａ…外面部、８Ｂ…折曲部、９…見切り部材、９Ａ…折曲部、５…開口部、１０…サッシ窓である引違い窓、１１…上枠体、１２…下枠体、１３…縦枠体、１４…窓枠体、１５…パネル体である障子、２０…支持枠、２１…上支持枠、２２…下支持枠、２３…縦支持枠、３０…本窓枠、７１…下地材、７２…モルタル層、８１…下地材、２１１，２２１，２３１…見込み片部、２１２，２２２，２３２…固定片部、２１３，２３３…突出片部、２１４，２３４…見付け片部、２１５Ａ，２２４Ａ，２３５Ａ…シール材。
【図１】
0004495059.tif 000002
【図２】
0004495059.tif 000003
【図３】
0004495059.tif 000004
【図４】
0004495059.tif 000005
【図５】
0004495059.tif 000006
【図６】
0004495059.tif 000007
【図７】
0004495059.tif 000008
【図８】
0004495059.tif 000009
【図９】
0004495059.tif 000010